(57)【要約】【課題】番組配信において、実際は利用していない信号によってネットワーク上の伝送容量を不必要に圧迫することを回避し、ネットワーク帯域を効率的に利用することができるようにする。【解決手段】ＭＰＥＧ−２  ＴＳ生成部１００により生成された、デジタル放送番組を格納したＭＰＥＧ−２  ＴＳ中の各ＴＳパケットにタイムスタンプを付与し、該タイムスタンプ付きＴＳパケットを、経路振り分け制御部４００によって、番組を再生する上で最低限必要な番組構成要素毎に、ＩＰネットワーク５００の複数の異なる配信経路へ振り分けて、経路情報およびＥＳ構成情報とともにＩＰストリームとして配信し、前記配信されるストリームを受信機６００によって受信し、前記経路情報およびＥＳ構成情報に基づいて、選局された番組の再生に必要な番組構成要素および該番組構成要素を受信する経路を特定する。【選択図】図１
2011023830.tif 000002
【特許請求の範囲】
【請求項１】
デジタル放送番組を格納したＭＰＥＧ−２  ＴＳを、ＩＰネットワークの複数の異なる配信経路を介してマルチキャスト又はユニキャストで再配信する送信装置であって、
前記ＭＰＥＧ−２  ＴＳ中の各ＴＳパケットにタイムスタンプを付与するタイムスタンプ付与手段と、
前記タイムスタンプ付与手段により付与されたタイムスタンプ付きＴＳパケットを、番組を再生する上で最低限必要な番組構成要素毎に、前記複数の異なる配信経路へ振り分ける振り分け先を決定し、前記決定された配信経路の経路情報とＥＳ（Ｅｌｅｍｅｎｔａｒｙ  Ｓｔｒｅａｍ）構成情報を生成し、該経路情報およびＥＳ構成情報をＩＰパケット格納／送出手段に受け渡し、前記ＩＰパケット格納／送出手段に対して、前記番組構成要素毎に前記決定された振り分け先への配信経路振り分けを指示する経路振り分け制御手段と、
前記タイムスタンプ付与手段により付与されたタイムスタンプ付きＴＳパケットを、前記経路振り分け制御手段によって指示された配信経路に振り分けて、経路振り分け制御手段から受け渡された経路情報およびＥＳ構成情報とともに配信するＩＰパケット格納／送出手段と、を備えたことを特徴とする番組送信装置。
【請求項２】
前記経路振り分け制御手段は、
前記ＭＰＥＧ−２ＴＳ中に多重されているＰＭＴ（Ｐｒｏｇｒａｍ  Ｍａｐ  Ｔａｂｌｅ）の内容を解析する機能と、
前記ＰＭＴの解析結果および予め登録された振り分け設定情報に基づいて、前記番組構成要素毎に前記振り分け先である配信経路を決定する機能と、
前記決定された配信経路に従い、配信中の各番組構成要素の配信アドレス情報を含む経路情報と、前記ＰＭＴの解析結果に基づくＥＳ構成情報とを生成する機能と、
前記ＩＰパケット格納／送出手段に対して、前記決定された配信経路への振り分けを指示し、前記生成された経路情報およびＥＳ構成情報を受け渡す機能と、を備えたことを特徴とする請求項１に記載の番組送信装置。
【請求項３】
送信装置側で、デジタル放送番組を格納したＭＰＥＧ−２  ＴＳ中の各ＴＳパケットにタイムスタンプを付与したタイムスタンプ付きＴＳパケットの配信経路が、番組を再生する上で最低限必要な番組構成要素毎に振り分けられて決定され、該送信装置から、ＩＰネットワークの複数の異なる配信経路のうち、前記決定された配信経路を介してＩＰマルチキャスト又はユニキャストで配信されるストリームであり、前記タイムスタンプ付きＴＳパケット、前記決定された配信経路の経路情報およびＥＳ構成情報を含むストリームを受信する受信装置であって、
前記受信したストリームから経路情報およびＥＳ構成情報を取得する手段と、
前記取得した経路情報およびＥＳ構成情報に基づいて、選局された番組の再生に必要な番組構成要素および該番組構成要素を受信する経路を特定する手段と、
同一の番組を２つ以上のマルチキャスト又はユニキャストで受信したときに、それぞれの前記経路から各々受信した２つ以上のパケット群を、前記付与されているタイムスタンプを用いて同期させて再生する手段と、を備えたことを特徴とする番組受信装置。
【請求項４】
前記送信装置から配信される経路情報には、配信中の各番組構成要素の配信アドレス情報が含まれており、
ユーザの選局情報、前記特定された番組構成要素および現在受信しているストリームのマルチキャストアドレスの対応関係に基づいて、受信すべき番組構成要素の受信経路の追加、変更の要否を判定する手段と、
前記判定の結果、追加、変更が必要な場合に、前記受信経路の追加、変更を実行する手段と、を更に備えたことを特徴とする請求項３に記載の番組受信装置。
【請求項５】
デジタル放送番組を格納したＭＰＥＧ−２  ＴＳを、ＩＰネットワークの複数の異なる配信経路を介してマルチキャスト又はユニキャストで再配信する送信装置であって、
前記ＭＰＥＧ−２  ＴＳ中の各ＴＳパケットにタイムスタンプを付与するタイムスタンプ付与手段と、
前記タイムスタンプ付与手段により付与されたタイムスタンプ付きＴＳパケットを、番組を再生する上で最低限必要な番組構成要素毎に、前記複数の異なる配信経路へ振り分ける振り分け先を決定し、前記決定された配信経路の経路情報とＥＳ（Ｅｌｅｍｅｎｔａｒｙ  Ｓｔｒｅａｍ）構成情報を生成し、該経路情報およびＥＳ構成情報をＩＰパケット格納／送出手段に受け渡し、前記ＩＰパケット格納／送出手段に対して、前記番組構成要素毎に前記決定された振り分け先への配信経路振り分けを指示する経路振り分け制御手段と、
前記タイムスタンプ付与手段により付与されたタイムスタンプ付きＴＳパケットを、前記経路振り分け制御手段によって指示された配信経路に振り分けて、経路振り分け制御手段から受け渡された経路情報およびＥＳ構成情報とともにＩＰストリームとして配信するＩＰパケット格納／送出手段と、を有した番組送信装置と、
前記送信装置から配信されるストリームを受信する受信装置であって、
前記受信したストリームから経路情報およびＥＳ構成情報を取得する手段と、
前記取得した経路情報およびＥＳ構成情報に基づいて、選局された番組の再生に必要な番組構成要素および該番組構成要素を受信する経路を特定する手段と、
同一の番組を２つ以上のマルチキャスト又はユニキャストで受信したときに、それぞれの前記経路から各々受信した２つ以上のパケット群を、前記付与されているタイムスタンプを用いて同期させて再生する手段と、を有した受信装置と、を備えたことを特徴とする番組配信システム。
【請求項６】
デジタル放送番組を格納したＭＰＥＧ−２  ＴＳを、ＩＰネットワークの複数の異なる配信経路を介してマルチキャスト又はユニキャストで再配信する送信装置であって、
前記ＭＰＥＧ−２  ＴＳ中の各ＴＳパケットにタイムスタンプを付与するタイムスタンプ付与手段と、
前記ＭＰＥＧ−２ＴＳ中に多重されているＰＭＴ（Ｐｒｏｇｒａｍ  Ｍａｐ  Ｔａｂｌｅ）の内容を解析する機能と、前記ＰＭＴの解析結果および予め登録された振り分け設定情報に基づいて、前記番組構成要素毎に前記振り分け先である配信経路を決定する機能と、前記決定された配信経路に従い、配信中の各番組構成要素の配信アドレス情報を含む経路情報と、前記ＰＭＴの解析結果に基づくＥＳ構成情報とを生成する機能と、ＩＰパケット格納／送出手段に対して、前記決定された配信経路への振り分けを指示し、前記生成された経路情報およびＥＳ構成情報を受け渡す機能と、を有した経路振り分け制御手段と、
前記タイムスタンプ付与手段により付与されたタイムスタンプ付きＴＳパケットを、前記経路振り分け制御手段によって指示された配信経路に振り分けて、経路振り分け制御手段から受け渡された経路情報およびＥＳ構成情報とともにＩＰストリームとして配信するＩＰパケット格納／送出手段と、を有した送信装置と、
前記送信装置から配信されるストリームを受信する受信装置であって、
前記受信したストリームから経路情報およびＥＳ構成情報を取得する手段と、
前記取得した経路情報およびＥＳ構成情報に基づいて、選局された番組の再生に必要な番組構成要素および該番組構成要素を受信する経路を特定する手段と、
同一の番組を２つ以上のマルチキャスト又はユニキャストで受信したときに、それぞれの前記経路から各々受信した２つ以上のパケット群を、前記付与されているタイムスタンプを用いて同期させて再生する手段と、
ユーザの選局情報、前記特定された番組構成要素および現在受信しているストリームのマルチキャストアドレスの対応関係に基づいて、受信すべき番組構成要素の受信経路の追加、変更の要否を判定する手段と、
前記判定の結果、追加、変更が必要な場合に、前記受信経路の追加、変更を実行する手段と、を有した受信装置と、を備えたことを特徴とする番組配信システム。
【請求項７】
前記番組を再生する上で最低限必要な番組構成要素は、映像、音声、ＰＣＲ（Ｐｒｏｇｒａｍ  Ｃｌｏｃｋ  Ｒｅｆｅｒｅｎｃｅ）、データ放送および番組情報の少なくともいずれか１つを含むことを特徴とする請求項５又は６に記載の番組配信システム。
【請求項８】
デジタル放送番組を格納したＭＰＥＧ−２  ＴＳを、ＩＰネットワークの複数の異なる配信経路を介してマルチキャスト又はユニキャストで再配信する送信方法であって、
タイムスタンプ付与手段が、前記ＭＰＥＧ−２  ＴＳ中の各ＴＳパケットにタイムスタンプを付与するタイムスタンプ付与ステップと、
経路振り分け制御手段が、前記タイムスタンプ付与手段により付与されたタイムスタンプ付きＴＳパケットを、番組を再生する上で最低限必要な番組構成要素毎に、前記複数の異なる配信経路へ振り分ける振り分け先を決定し、前記決定された配信経路の経路情報とＥＳ（Ｅｌｅｍｅｎｔａｒｙ  Ｓｔｒｅａｍ）構成情報を生成し、該経路情報およびＥＳ構成情報をＩＰパケット格納／送出手段に受け渡し、前記ＩＰパケット格納／送出手段に対して、前記番組構成要素毎に前記決定された振り分け先への配信経路振り分けを指示する経路振り分け制御ステップと、
ＩＰパケット格納／送出手段が、前記タイムスタンプ付与手段により付与されたタイムスタンプ付きＴＳパケットを、前記経路振り分け制御手段によって指示された配信経路に振り分けて、経路振り分け制御手段から受け渡された経路情報およびＥＳ構成情報とともに配信するステップと、を備えたことを特徴とする番組送信方法。
【請求項９】
前記経路振り分け制御ステップは、
前記ＭＰＥＧ−２ＴＳ中に多重されているＰＭＴ（Ｐｒｏｇｒａｍ  Ｍａｐ  Ｔａｂｌｅ）の内容を解析するステップと、
前記ＰＭＴの解析結果および予め登録された振り分け設定情報に基づいて、前記番組構成要素毎に前記振り分け先である配信経路を決定するステップと、
前記決定された配信経路に従い、配信中の各番組構成要素の配信アドレス情報を含む経路情報と、前記ＰＭＴの解析結果に基づくＥＳ構成情報とを生成するステップと、
前記ＩＰパケット格納／送出手段に対して、前記決定された配信経路への振り分けを指示し、前記生成された経路情報およびＥＳ構成情報を受け渡すステップと、を備えたことを特徴とする請求項８に記載の番組送信方法。
【請求項１０】
送信装置側で、デジタル放送番組を格納したＭＰＥＧ−２  ＴＳ中の各ＴＳパケットにタイムスタンプを付与したタイムスタンプ付きＴＳパケットの配信経路が、番組を再生する上で最低限必要な番組構成要素毎に振り分けられて決定され、該送信装置から、ＩＰネットワークの複数の異なる配信経路のうち、前記決定された配信経路を介してＩＰマルチキャスト又はユニキャストで配信されるストリームであり、前記タイムスタンプ付きＴＳパケット、前記決定された配信経路の経路情報およびＥＳ構成情報を含むストリームを受信する受信方法であって、
受信装置が、前記受信したストリームから経路情報およびＥＳ構成情報を取得するステップと、
前記取得した経路情報およびＥＳ構成情報に基づいて、選局された番組の再生に必要な番組構成要素および該番組構成要素を受信する経路を特定するステップと、
同一の番組を２つ以上のマルチキャスト又はユニキャストで受信したときに、それぞれの前記経路から各々受信した２つ以上のパケット群を、前記付与されているタイムスタンプを用いて同期させて再生するステップと、を備えたことを特徴とする番組受信方法。
【請求項１１】
前記送信装置から配信される経路情報には、配信中の各番組構成要素の配信アドレス情報が含まれており、
受信装置が、ユーザの選局情報、前記特定された番組構成要素および現在受信しているストリームのマルチキャストアドレスの対応関係に基づいて、受信すべき番組構成要素の受信経路の追加、変更の要否を判定するステップと、
前記判定の結果、追加、変更が必要な場合に、前記受信経路の追加、変更を実行するステップと、を更に備えたことを特徴とする請求項１０に記載の番組受信方法。
【請求項１２】
コンピュータを請求項１又は２に記載の各手段として機能させる番組送信プログラム。
【請求項１３】
コンピュータを請求項３又は４に記載の各手段として機能させる番組受信プログラム。
【発明の詳細な説明】
【技術分野】
【０００１】
本発明は、複数の映像、音声、字幕、データ放送、ＰＣＲ（Ｐｒｏｇｒａｍ  Ｃｌｏｃｋ  Ｒｅｆｅｒｅｎｃｅ）、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）などから構成されるデジタル放送番組をＩＰネットワークに配信する番組配信方法に関するものである。
【背景技術】
【０００２】
複数チャネルにおよぶ高品質、大容量のデジタル放送番組を放送波以外の他のネットワーク上で再送信する際には、伝送容量の増大が課題となる。ＩＰネットワークを用いた配信においては、特にアクセスライン上に伝送できる信号の総量に制限が生じ得るため、従来のＩＰ番組配信では、ユーザの選択したチャネルのみをアクセスラインに送信する方式がとられる。
【０００３】
具体的には、受信機が、ユーザの選択したチャネルを伝送するＩＰマルチキャストストリームのマルチキャストアドレスに対して、ストリーム受信要求を行い、これに基づいてネットワークから、ユーザの選択したチャネルを伝送するＩＰマルチキャストストリームのみがアクセスラインに送信される。
【０００４】
しかしながら、複数のユーザが一つのアクセスラインを共有したり、一つの受信機から視聴と別番組の同時録画を実行する利用形態も想定され、さらにアクセスライン上に伝送する信号を低減する必要がある。このような背景で、特許文献１に示されるような、ＭＰＥＧ−２映像をさらに圧縮効率の高いＨ.２６４方式で符号変換して再多重する方法や、特許文献２に示されるような、データ放送の冗長性を削除して帯域を圧縮する方法が提案されている。
【０００５】
従来のＩＰ番組配信システムの構成例について図７に示す。図７において、送信装置側では、すべての番組構成要素を多重したＭＰＥＧ−２  ＴＳを、ＭＰＥＧ−２  ＴＳ生成部１０によって生成した後、ＴＳパケット毎にタイムスタンプ付与部２０によってタイムスタンプを付与し、ＩＰパケット格納／送出部３０にてＩＰパケットに格納してＩＰネットワーク４０に送出する。受信機５０は、選局されたチャネルに対応したＩＰマルチキャストストリームを受信し、番組を再生する。
【０００６】
尚、本発明で利用する選局制御情報は非特許文献１に記載されている。  
【先行技術文献】
【特許文献】
【０００７】
【特許文献１】特開２００８−１５４０４９号公報
【特許文献２】特開２００８−１５４０５０号公報
【非特許文献】
【０００８】
【非特許文献１】「地上デジタルテレビジョン放送ＩＰ再送信運用規定」、ＩＰＴＶＦＪ  ＳＴＤ−０００５  １．１版、２００８年１１月２８日、第零編  ８．２．１．３  選局制御情報  ｐ．３０
【発明の概要】
【発明が解決しようとする課題】
【０００９】
従来の技術では、複数の映像、音声、字幕、データ放送を多重したＭＰＥＧ−２  ＴＳ全体を同一のＩＰマルチキャストアドレスを有するパケットに格納して送信するため、ユーザが常時参照することのないデータ放送や番組情報の信号についても合わせて配信する必要があり、ネットワーク上に実際は必要のない信号が伝送されることがあった。また、デジタル放送では、１つのＭＰＥＧ−２  ＴＳ中に複数の番組が多重されることがあるが、従来の技術では、ＭＰＥＧ−２  ＴＳ中に多重されたすべての番組を同一のＩＰマルチキャストアドレスを有するパケットに格納して送信するため、実際は視聴していない映像、音声についても伝送され、ネットワーク上の伝送容量を不必要に増大させることがあった。
【００１０】
本発明は上記課題を解決するものであり、その目的は、番組配信において、実際は利用していない信号によってネットワーク上の伝送容量を不必要に圧迫することを回避し、ネットワーク帯域を効率的に利用することができるようにすることにある。
【課題を解決するための手段】
【００１１】
本発明では、送信装置から、番組を格納したＭＰＥＧ−２  ＴＳに含まれる番組構成要素を複数の経路（異なるマルチキャストアドレスでのＩＰマルチキャストや、ユニキャスト）で配信し、受信装置では、それぞれの経路から必要な番組構成要素のみを受信して番組を再生する。
【００１２】
送信装置では、番組を格納したＭＰＥＧ−２  ＴＳにタイムスタンプを付加し、それぞれのタイムスタンプ付きＴＳパケットを異なる経路で配信する。振り分け先経路は、予め登録した振り分け設定情報とＰＭＴから、番組構成要素毎に決定する。決定した経路の情報と番組構成要素の情報を受信装置に向けて配信し、各番組構成要素の受信先を受信装置に通知する。
【００１３】
受信装置では、異なる経路で配信されるタイムスタンプ付きＭＰＥＧ−２  ＴＳをそれぞれ受信し、タイムスタンプを用いて、１つのＭＰＥＧ−２  ＴＳとして再生および提示する。
【００１４】
送信装置から配信される経路の情報と番組構成要素の情報を用いて、再生や提示に必要な番組構成要素を受信する経路を特定する。ユーザの操作状況や経路情報および番組構成要素の状況の変化を監視し、この結果に応じて受信すべき番組構成要素の受信経路を変更しながら、番組の再生と提示を繰り返す。
【００１５】
以上により、ユーザが番組を視聴する際に最低限必要な番組構成要素のみを送受信することで、実際は利用していない信号によってネットワーク上の伝送容量を不必要に圧迫することを回避し、従来技術の課題が解決できる。
【発明の効果】
【００１６】
本発明によれは、ユーザが番組を視聴する際に最低限必要な番組構成要素のみを送受信することで、実際は利用していない信号によってネットワーク上の伝送容量を不必要に圧迫することを回避し、ネットワーク帯域を効率的に利用することができる。
【図面の簡単な説明】
【００１７】
【図１】本発明の実施形態例によるＩＰ番組配信システムの構成図。
【図２】本発明の実施形態例における経路情報の一例を示す説明図。
【図３】本発明の実施形態例における送信処理のフローチャート。
【図４】本発明の実施形態例における受信処理のフローチャート。
【図５】本発明の実施形態例における経路振り分け配信の一例を示す説明図。
【図６】本発明の実施形態例におけるタイムスタンプによる再生、提示処理の一例を示す説明図。
【図７】従来のＩＰ番組配信システムの一例を示す構成図。
【発明を実施するための形態】
【００１８】
以下、図面を参照しながら本発明の実施の形態を説明するが、本発明は下記の実施形態例に限定されるものではない。ＭＰＥＧ−２  ＴＳ形式にて生成されるデジタル放送番組をＩＰネットワーク上で配信するシステムにおいて、送信装置で、番組構成要素を複数の経路で伝送し、受信装置で、再生や提示に必要な番組構成要素のみを個別の経路から受信することで、番組の再生、提示に必要となる伝送容量を低減する本発明の実施形態例を説明する。
【００１９】
本実施形態例において、取り扱うデジタル放送番組は、複数の映像、音声、字幕、データ放送、ＰＣＲ、ＰＳＩ／ＳＩなどから構成される。
【００２０】
図１は本発明の実施形態例によるＩＰ番組配信システムの全体構成を示している。本システムは、ＭＰＥＧ−２  ＴＳ生成部１００、タイムスタンプ付与手段としてのタイムスタンプ付与部２００、ＩＰパケット格納／送出手段としてのＩＰパケット格納／送出部３００、経路振り分け制御手段としての経路振り分け制御部４００からなる送信装置と、ＩＰネットワーク５００、受信機６００（受信端末を備えた受信装置）から構成されている。
【００２１】
ＭＰＥＧ−２  ＴＳ生成部１００は、ＩＰネットワーク５００に送出するデジタル放送番組をＭＰＥＧ−２  ＴＳの形式で生成する機能を有する。電波で伝送されるデジタル放送番組をそのままＩＰネットワーク５００に送出する場合は、放送波の復調機能、デスクランブル機能を有する。映像やデータ放送の伝送容量を低減する場合は、放送波の復調機能、デスクランブル機能に加えて、映像のトランスコード機能、再多重機能、データ放送冗長性削除機能を有する。
【００２２】
タイムスタンプ付与部２００は、生成されたＭＰＥＧ−２  ＴＳ中の各ＴＳパケットに、４Ｂｙｔｅのタイムスタンプ（２７ＭＨｚ）を付与する機能を有する。  経路振り分け制御部４００は、番組構成要素毎に、どの経路（経路Ａ〜Ｃ）で配信するかを決定する機能を有する。配信経路の決定には、予め登録される振り分け設定情報および、ＭＰＥＧ−２  ＴＳ生成部１００から受け渡されるＰＭＴ（Ｐｒｏｇｒａｍ  Ｍａｐ  Ｔａｂｌｅ）の内容を用いる。また、決定した経路に基づいて、経路情報を生成する機能を有する。生成する経路情報の例を図２に示す。また、ＰＭＴの内容からＥＳ（Ｅｌｅｍｅｎｔａｒｙ  Ｓｔｅａｍ）構成情報を生成する機能を有する。さらに生成した経路情報およびＥＳ構成情報をＩＰパケット格納／送出部３００に受け渡す機能と、ＩＰパケット格納／送出部３００に対して、番組構成要素毎に、経路を指定して振り分けを指示する機能を有する。
【００２３】
ＩＰパケット格納／送出部３００は、経路振り分け制御部４００から指示された内容に従って、タイムスタンプ付与部２００から受け渡されたタイムスタンプ付きＴＳパケットを複数の経路（経路Ａ〜Ｃ）に配信先を振り分けて送出する機能を有する。さらに、経路情報およびＥＳ構成情報を併せて各経路で配信する機能を有する。
【００２４】
受信機６００は、ユーザの選局操作に基づいて、初期に受信すべきストリームを受信する機能を有する。また、受信したストリームに含まれるＥＳ構成情報と経路情報を受信する機能を有する。さらに、ＥＳ構成情報から番組を再生、提示するのに必要なＥＳを特定する機能、経路情報からそのＥＳの配信経路を特定する機能、受信先の経路の追加や変更が必要であるかを判断する機能、受信先の経路の追加や変更が必要な場合には、受信先の経路の追加や変更を実施して再生、提示を継続する機能を有する。
【００２５】
以下では、本実施例におけるシステムの動作について記述する。送信装置における送信処理のフローについては図３に、受信機６００における受信処理のフローについては図４に各々示す。
（１）図３のステップＳ１において、ＭＰＥＧ−２  ＴＳ生成部１００は、デジタル放送を伝送する放送波を受信して復調し、デスクランブル処理を実行する。ＭＰＥＧ−２映像をＨ．２６４にトランスコードし、映像以外の番組構成要素と映像の同期をとって再多重する。さらにデータ放送のＤＤＢ再送回数を低減して、伝送容量の小さいＭＰＥＧ−２  ＴＳを生成する。生成したＭＰＥＧ−２  ＴＳをタイムスタンプ付与部２００と、経路振り分け制御部４００に出力する。
（２）図３のステップＳ２において、タイムスタンプ付与部２００は、ＭＰＥＧ−２  ＴＳ中のＴＳパケットに４Ｂｙｔｅのタイムスタンプ値（２７ＭＨｚ）を付与する。付与した各タイムスタンプ付きＴＳパケットをＩＰパケット格納／送出部３００に出力する。ただし、ＮＵＬＬパケットについては、出力しないこととする。
（３）図３のステップＳ３において、経路振り分け制御部４００は、受け取ったＭＰＥＧ−２  ＴＳ中に多重されているＰＭＴを抽出する。抽出するＰＭＴのＰＩＤは、ＰＡＴ（Ｐｒｏｇｒａｍ  Ａｓｓｏｃｉａｔｉｏｎ  Ｔａｂｌｅ）中のＰＭＴ  ＰＩＤを参照して取得する。取得したＰＭＴ  ＰＩＤが複数の場合、全てのＰＭＴ  ＰＩＤに対応したＰＭＴを抽出する。次に、抽出した各ＰＭＴのバージョン番号を取得し、サービスＩＤ毎に保持しているバージョン番号と一致しない場合（バージョン番号を保持していない場合も含む）は該当のＰＭＴが更新されていると判断するとともにサービスＩＤ毎にバージョン番号を保持する。保持しているバージョン番号と同一である場合は、ＰＭＴが更新されていないと判断する。一つでもＰＭＴが更新されている場合は、以下の（３−１）〜（３−４）の処理を実行する。
（３−１）図３のステップＳ４において、ＰＭＴ内容の解析を行う。具体的には、ＰＭＴの中から、ＥＳ（Ｅｌｅｍｅｎｔａｒｙ  Ｓｔｒｅａｍ）毎に、ストリーム形式識別の情報を取得し、ＰＩＤとストリーム形式識別の対応を保持する。ＰＣＲのＰＩＤを取得する。また、複数のＰＭＴ間で、同一のＥＳ  ＰＩＤが共有されているかどうかを確認する。
（３−２）図３のステップＳ５において、予め登録される振り分け設定情報とＰＭＴの解析結果に基づいて、各番組構成要素の配信経路を決定する。振り分け設定情報において、サービスに属する番組構成要素については、サービス毎・ストリーム形式識別毎に経路を指定する。ＳＩ（Ｓｅｒｖｉｃｅ  Ｉｎｆｏｒｍａｔｉｏｎ）のように、ＰＩＤが固定で、サービスに属さない番組構成要素については、ＰＩＤに対して経路を指定する。ＰＩＤ個々の指定や範囲指定も可能である。
【００２６】
前記振り分け設定情報は、例えば、以下のような内容である。
＃映像
サービス１／ストリーム形式識別００：アドレス１でマルチキャスト
＃音声
サービス１／ストリーム形式識別１０：アドレス１でマルチキャスト
＃ＰＣＲ
サービス１／ＰＣＲ：アドレス１でマルチキャスト
＃データ放送
サービス１／ストリーム形式識別０Ｄ：アドレス４でユニキャスト
＃映像
サービス２／ストリーム形式識別００：アドレス２でマルチキャスト
＃音声
サービス２／ストリーム形式識別１０：アドレス２でマルチキャスト
＃ＰＣＲ
サービス２／ＰＣＲ：アドレス２でマルチキャスト
＃データ放送
サービス２／ストリーム形式識別０Ｄ：アドレス５でユニキャスト
・・・・・・・・・・
＃ＳＤＴ
ＰＩＤ  ００１１：アドレス３でマルチキャスト
＃ＥＩＴ
ＰＩＤ  ００１２：アドレス３でマルチキャスト
・・・・・・・・・・
前記振り分け設定情報とＰＭＴの解析結果から、ＰＩＤ毎に配信経路を決定する。例として、ＰＭＴを解析した結果、サービス１のストリーム形式識別００のＥＳ（映像ＥＳ）がＰＩＤ  ０ｘ０１００であった場合、振り分け設定情報の内容を適用し、「ＰＩＤ  ０ｘ０１００はアドレス１のＩＰマルチキャスト経路で配信する」と決定する。なお、複数のサービス間（ＰＭＴ間）で、同一のＥＳ  ＰＩＤが参照されている場合、２つ目以降の参照分について、新たな配信経路を割り当てることはしない。例えば、サービス１とサービス２で同一のサービスを参照するイベント共有の運用がとられていた場合、サービス２のＰＭＴから参照される映像ＥＳを、新たにアドレス２のＩＰマルチキャストで配信することはしない。振り分け設定情報で直接ＰＩＤに対して経路が指定されているものについては、それに従って、配信経路を割り当てる。
【００２７】
上述のような振り分け設定情報が登録されており、イベント共有も発生していない場合には、以下のように各番組構成要素の配信経路が決定される。
ＰＩＤ  ０１００：アドレス１でマルチキャスト
ＰＩＤ  ０１１０：アドレス１でマルチキャスト
ＰＩＤ  ０１ＦＦ：アドレス１でマルチキャスト
ＰＩＤ  ０１４０：アドレス４でユニキャスト
・・・・・・・・・・
ＰＩＤ  ００１１：アドレス３でマルチキャスト
ＰＩＤ  ００１２：アドレス３でマルチキャスト
・・・・・・・・・・
（３−３）図３のステップＳ６において、決定した配信経路に従って、経路情報を生成する。経路情報の符号化の一例を図２に示す。また、サービス毎に、ＰＭＴの内容のうちＰＩＤとストリーム形式識別の情報を抜き出したＥＳ構成情報を生成する。
（３−４）図３のステップＳ７において、ＩＰパケット格納／送出部３００に対して、ＰＩＤ毎の配信経路を指示する。また、生成した経路情報とＥＳ構成情報を通知する。
（４）図３のステップＳ８において、ＩＰパケット格納／送出部３００では、タイムスタンプ付与部２００から受け渡されるタイムスタンプ付きＴＳパケットを、経路振り分け制御部４００から指示されるＰＩＤ毎の配信経路に従って、複数の経路に振り分けて配信する。具体的には、タイムスタンプ付きＴＳパケット毎にＰＩＤを取得し、そのＰＩＤに割り当てられたアドレスを有するＩＰパケットに、複数個まとめて格納して送出する。
【００２８】
伝送プロトコルは、ＲＴＰ（Ｒｅａｌ−ｔｉｍｅ  Ｔｒａｎｓｐｏｒｔ  Ｐｒｏｔｏｃｏｌ）／ＵＤＰ（Ｕｓｅｒ  Ｄａｔａｇｒａｍ  Ｐｒｏｔｏｃｏｌ）／ＩＰを用い、ＲＴＰパケットのペイロードに最大７個のタイムスタンプ付きＴＳパケットを格納する。また、経路振り分け制御部４００から受け渡された経路情報とＥＳ構成情報をすべての配信経路で番組と併せて配信する。受信機６００側で、番組本体と、経路情報およびＥＳ構成情報を区別して受信できるよう、それぞれポート番号を変えて配信する。（例：番組本体→５００００、経路情報およびＥＳ構成情報→５０００１など）本実施例における、経路振り分け配信のイメージを図５に示す。
【００２９】
図５は、映像・音声をマルチキャスト配信とし、データ放送をユニキャスト配信とした例である。
（５）図４のステップＳ１１，Ｓ１２において、受信機６００は、ユーザの選局操作を受け付け、初期に受信すべきストリーム（以下、初期ストリームと称する）を受信する。初期ストリームのアドレス情報は、選局制御情報（非特許文献１参照）として別途保持している。
【００３０】
受信機６００は、受信した初期ストリームの中から、まず経路情報とＥＳ構成情報を取得して保持する（図４のステップＳ１３，Ｓ１４）。次に、保持したＥＳ構成情報を用いて選局されたサービスの映像と音声再生に必要となる番組構成要素を特定する（図４のステップＳ１５）。続いて、再生に必要だと特定した番組構成要素が現在受信しているストリームに含まれているか、また、逆に再生および提示のために受信しなくてもよいストリームを受信中であるかどうかを判定する（図４のステップＳ１６）。新たに別のストリームを受信する必要がある場合や、現在受信中のストリームが不要になっている場合は、受信先の追加や変更を実行する（図４のステップＳ１７）。現在受信中のストリームで再生や提示が可能な場合は、そのまま再生および提示処理（図４のステップＳ１８）に進む。      
【００３１】
再生および提示処理では、まず複数の経路から受信したタイムスタンプ付きＴＳパケットを全て集約し、各タイムスタンプのタイミングに順番に従って、復号処理や表示処理系にＴＳパケットを引き渡す。復号処理や表示処理系は、デジタル放送や、従来のＩＰ映像配信と同様に最終的な映像再生やデータ画面提示を実行する。図６に、タイムスタンプ値による、再生、提示処理のイメージを示す。
【００３２】
図６は、タイムスタンプ付きＴＳパケットが、前記経路振り分け制御部４００により振り分けられた複数の配信経路（例えば図１の経路Ａ〜Ｃ）を介して配信され、受信機６００内で、タイムスタンプに基づいて復号および表示処理のタイミングを調整していることを表している。
【００３３】
以降、図４のステップＳ１９において、ユーザの操作や経路情報およびＥＳ構成情報の更新を監視し、変化があった場合には、受信すべき番組構成要素を再度特定し、受信先の追加、変更を行いながら再生や提示（図４のステップＳ１５〜Ｓ１８の処理）を繰り返す。
【００３４】
以上のように本実施形態例によれば、前記振り分け設定情報の内容例で示したように、同一サービスに属する「映像、音声、ＰＣＲ」は同一のマルチキャストで配信し、データ放送などの情報については別のマルチキャストに振り分け、同一サービスに属するデータに対して同一のタイムスタンプを付与して送信し、受信機６００側では、同一番組を２つ以上のマルチキャスト又はユニキャストで受信したとき、それぞれの経路から個別に受信した２つ以上のパケット群を、付与されたタイムスタンプを用いて同期させて再生する。
【００３５】
これによって、受信機６００が、端末で番組を再生する上で最低限必要な番組要素のみを受信することが可能となり、受信機側の必要帯域が低減されるとともに、同一サービスに属する複数のマルチキャストを受信した際にタイムスタンプを用いて別のマルチキャストに振り分けられる前の情報を復元することができる。
【００３６】
尚、本発明の番組送信装置は、例えば図１のＭＰＥＧ−２  ＴＳ生成部１００、タイムスタンプ付与部２００、ＩＰパケット格納／送出部３００および経路振り分け制御部４００を備えるものであり、本発明の番組送信方法は、例えば前記各部１００、２００、３００、４００の前述した各処理を実行するものである。
【００３７】
また、本発明の番組受信装置は、例えば図１の受信機６００を備えるものであり、本発明の番組受信方法は、例えば前記受信機６００の前述した各処理を実行するものである。
【００３８】
また、本実施形態の番組送信装置、番組受信装置、番組配信システムにおける各手段の一部もしくは全部の機能をコンピュータのプログラムで構成し、そのプログラムをコンピュータを用いて実行して本発明を実現することができること、本実施形態の番組送信方法、番組受信方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【００３９】
１００…ＭＰＥＧ−２  ＴＳ生成部
２００…タイムスタンプ付与部
３００…ＩＰパケット格納／送出部
４００…経路振り分け制御部
５００…ＩＰネットワーク
６００…受信機
【図１】
2011023830.tif 000003
【図２】
2011023830.tif 000004
【図３】
2011023830.tif 000005
【図４】
2011023830.tif 000006
【図５】
2011023830.tif 000007
【図６】
2011023830.tif 000008
【図７】
2011023830.tif 000009